(57)【特許請求の範囲】
【請求項１】
インターネット電話における転送呼の処理方法において、
呼制御装置が生成する呼情報に、通話開始時刻等に加えて、少なくとも、発信者ＩＤ、転送者ＩＤ、着信者ＩＤを保持し、
転送呼を処理する転送呼処理装置は、インターネット電話で呼が発生した際に前記呼制御装置から出力される呼情報を収集し、
該呼情報が転送呼であれば処理対象とし、
処理対象となった該呼情報を元に、発信者ＩＤに発信者、着信者ＩＤに転送者を記述した呼情報と、発信者ＩＤに転送者、着信者ＩＤに着信者を記述した呼情報とに分割することにより、発信者から転送者への通話と、転送者から着信者への通話とに分割して、２つの呼情報を生成し、課金装置に出力する
ことを特徴とするインターネット電話における転送呼処理方法。
【請求項２】
請求項１に記載のインターネット電話における転送呼処理方法において、
前記転送呼処理装置は、転送呼以外の呼情報が入力された場合には、転送呼のみを処理対象として判別し、分割処理を行った後、処理結果の分割された呼情報とともに転送呼以外の呼情報を前記課金装置に出力することを特徴とするインターネット電話における転送呼処理方法。
【請求項３】
インターネット電話における転送呼処理システムであって、ＩＰ網上のインターネット電話サービスの利用者である発信者、転送者および着信者により成立した呼を制御し、呼情報を出力する呼制御装置と、呼情報から上記利用者に課金を行う課金装置と、該呼制御装置および課金装置に接続され、該呼制御装置から出力された呼情報を収集し、収集された呼情報について転送呼であるか否かの判別を行い、転送呼であれば、発信者ＩＤ、転送者ＩＤ、着信者ＩＤを編集することにより発信者から転送者への通話と転送者から着信者への通話とに分割して、２つの呼情報を生成し、該課金装置に出力する転送呼処理装置とを設けたことを特徴とするインターネット電話における転送呼処理システム。
【請求項４】
呼制御装置から呼情報を収集する呼情報収集手段と、呼情報から転送呼を判別する転送呼判別手段と、該転送呼を発信者から転送者への通話と転送者から着信者への通話とに分割する転送呼分割手段と、分割した２つの呼を課金装置に出力する呼情報出力手段とを具備することを特徴とする転送呼処理装置。
【請求項５】
請求項１または２に記載のインターネット電話における転送呼処理方法を、コンピュータに実行させるための転送呼処理用プログラム。
【請求項６】
請求項５に記載の転送呼処理用プログラムを格納したことを特徴とするコンピュータ読み取り可能な記録媒体。
【発明の詳細な説明】
【０００１】
【発明の属する技術分野】
本発明は、インターネットを利用した音声通信システムおよびその方法に関し、特に転送呼の適正な課金処理を図ることが可能なインターネット電話における転送呼処理システムおよびその方法、ならびにそのプログラムと記録媒体に関する。
【０００２】
【従来の技術】
従来より、インターネットを利用した音声通信システム、いわゆるインターネット電話システムが知られている。このようなシステムにおいても、ＰＳＴＮ（Ｐｕｂｌｉｃ  Ｓｗｉｔｃｈｅｄ  Ｔｅｌｅｐｈｏｎｅ  Ｎｅｔｗｏｒｋ：公衆交換電話網）の場合と同じように、転送呼が発生した際に発信者と転送者が通話料金を応分に分担できることが望ましい。しかし、従来のインターネット電話システムの構成では、インターネット電話システムにこれを適用することはできなかった。すなわち、発信者は転送者の位置を着信者と思ってインターネット電話を着信させたところ、着信者である転送者は自己の事情により別個の位置にそのインターネット電話を転送させるように予め設定しておくか、代りの人に転送してもらうかの措置をとっているので、通話料金は転送者が応答した時点から加算されることになり、従来は全料金が発信者の負担となっていた。
【０００３】
図５は、ＰＳＴＮにおける従来の転送呼処理システムを示すブロック図である。
図５において、１０は発信者側交換機８１に収容された発信者、２０は転送者側交換機８２に収容された転送者、３０は着信者側交換機８３に収容された着信者、６０は課金装置、１００は電話網、９０は呼情報通信網である。
ＰＳＴＮの転送呼における呼情報の出力方法について考える。図５に示すように、転送呼の呼情報は、予め発信者側交換機８１と転送者側交換機８２により、それぞれ発信者１０から転送者２０への通話と、転送者２０から着信者３０への通話とに分かれて出力されている。
【０００４】
図６は、従来のインターネット電話における転送呼処理システムを示すブロック図である。
図６において、１０は発信者、２０は転送者、３０は着信者、４０は呼制御装置であって、これらはＩＰ（Ｉｎｔｅｒｎｅｔ  Ｐｒｏｔｏｃｏｌ）網７０に接続されており、５０は呼制御装置４０に接続された課金装置である。
インターネット電話の転送呼における呼情報の出力方法は、図６に示すように、呼制御装置４０が呼を一括して管理しているため、１つの呼情報に、発信者１０から転送者２０を経て着信者３０に転送される通話として出力されていた。
すなわち、発信者１０から転送者２０への通話と、転送者２０から着信者３０への通話とを別個に分けて扱うことができず、呼制御装置４０は発信者１０、転送者２０および着信者３０の順に行われる１つの通話として把握し、出力していた。
【０００５】
【発明が解決しようとする課題】
このように、従来のインターネット電話においては、呼制御装置により管理されているため、ＰＳＴＮと同じように、転送呼の通話料金を発信者と転送者に応分して分担することができなかった。
通話料金を発信者と転送者とに応分して分担させるには、出力される呼情報が異なることを把握させることが必要であって、従来の課金の仕組みでは不可能であり、新たにシステムを構築しなければならない。
【０００６】
そこで、本発明の目的は、このような従来の課題を解決し、呼制御装置から出力される発信者から転送者を経て着信者に転送される通話という１つの呼情報を、発信者から転送者への通話と、転送者から着信者への通話という２つの呼情報に分割することができ、それにより従来の課金の仕組みの流用を可能にするインターネット電話における転送呼処理システムおよびその方法、ならびにそのプログラムと記録媒体を提供することにある。
【０００７】
【課題を解決するための手段】
上記目的を達成するため、本発明のインターネット電話における転送呼処理方法は、呼制御装置が生成する呼情報として、通話開始時刻等に加えて、少なくとも、発信者ＩＤ、転送者ＩＤ、着信者ＩＤを保持する。新たに設置された転送呼処理装置は、呼制御装置がインターネット電話で呼が発生した際に出力した呼情報を収集し、該呼情報が転送呼であれば処理対象とし、処理対象となった該呼情報を元に、発信者ＩＤに発信者、着信者ＩＤに転送者を記述した呼情報と、発信者ＩＤに転送者、着信者ＩＤに着信者を記述した呼情報とに分割することにより、発信者から転送者への通話と、転送者から着信者への通話とに分割して、２つの呼情報を生成し、課金装置に出力する。
【０００８】
また、本発明の転送呼処理装置は、呼制御装置から呼情報を収集する呼情報収集手段と、呼情報から転送呼を判別する転送呼判別手段と、該転送呼を発信者から転送者への通話と転送者から着信者への通話とに分割する転送呼分割手段と、分割した２つの呼を課金装置に出力する呼情報出力手段とを具備する。
本発明のインターネット電話における転送呼処理システムでは、呼制御装置から出力された呼情報を収集し、収集された呼情報について転送呼であることを示す部分、すなわち転送者ＩＤに情報が記載されているかなどにより、処理対象か否かの判別を行い、処理対象となった転送呼に対して、発信者ＩＤ、転送者ＩＤ、着信者ＩＤを編集することにより発信者から転送者への通話と転送者から着信者への通話とに分割して、２つの呼情報を生成し、既存の課金の仕組みで転送呼の課金を行うことを可能にする。
【０００９】
【発明の実施の形態】
以下、本発明の実施例を、図面により詳細に説明する。
図１は、本発明の一実施例を示すインターネット電話における転送呼処理システムのブロック構成図である。
本発明の転送呼処理システムは、ＩＰ網７０上のインターネット電話サービスの利用者、すなわち発信者１０、転送者２０、着信者３０によって成立した呼を制御し、呼情報を出力する呼制御装置４０と、呼情報から利用者に課金を行う課金装置６０と、これらの両装置４０，６０に接続される転送呼処理装置５０とから構成されている。新たに設置した転送呼処理装置５０により、発信者から転送者への通話と、転送者から着信者への通話とに分割できるように、呼処理を行う。
【００１０】
図２は、図１における転送呼処理装置の構成を示すブロック図である。
転送呼処理装置５０は、図２に示すように、呼制御装置４０から呼情報を収集する呼情報収集手段５１と、呼情報から転送呼を判別する転送呼判別手段５２と、転送呼を発信者１０から転送者２０への通話と、転送者２０から着信者３０への通話に分割する転送呼分割手段５３と、分割した２つの呼を出力する呼情報出力手段５４とで構成されている。
【００１１】
図３は、図２における転送呼分割手段により分割される転送呼の例を示す図である。
呼情報収集手段５１により呼制御装置４０から収集された呼情報は、転送呼判別手段５２により転送呼と判別されると、転送呼分割手段５３に処理対象として入力される。
図３に示すように、入力された転送呼情報３０１（発信者ＩＤが３０００１０，転送者ＩＤが３０００２０，着信者ＩＤが３０００３０）は、転送呼分割手段５３により発信者ＩＤが３０００１０、着信者ＩＤが３０００２０の呼情報３０２と、発信者ＩＤが３０００２０、着信者ＩＤが３０００３０の呼情報３０３とに分割されるようになっている。
【００１２】
図４は、図２における転送呼処理装置の処理フローチャートである。
図４に示すように、転送呼処理装置５０の処理は、呼情報収集ステップＳ４０１と、転送呼判別ステップＳ４０２と、転送呼分割ステップＳ４０３と、出力ステップＳ４０４とからなる。
次に、これらの処理の詳細動作について、図１〜図３を参照しながら説明する。発信者１０より発呼されたインターネット電話が転送者２０の設定等により転送され、着信者３０に着信し、通話が成立すると、呼制御装置４０から呼情報が出力される。
【００１３】
転送呼処理装置５０は、呼情報収集手段５１により呼制御装置４０から出力された呼情報を収集する（ステップＳ４０１）。次に、転送呼判別手段５２により、収集された呼情報が転送呼であるか否かが判別される。判別の結果、転送呼でなかった場合には、分割処理を行わず、ステップＳ４０４に進む（ステップＳ４０２でＮｏ）。一方、転送呼であった場合には、分割処理対象となるので、ステップＳ４０３に進む（ステップＳ４０２でＹｅｓ）。ステップＳ４０２の処理で分割処理対象となった場合、転送呼分割手段５３により、発信者１０から転送者２０への通話と、転送者２０から着信者３０への通話とに分割される（ステップＳ４０３）。最後に、分割処理対象とならなかった呼情報と、ステップＳ４０３で分割された呼情報を呼情報出力手段５４により出力する（ステップ４０４）。
【００１４】
図４に示す処理フローをコンピュータに実行させるためのプログラムに変換し、変換したプログラムをＣＤ−ＲＯＭ等の記録媒体に格納しておけば、ＩＰ網上の任意のコンピュータにこの記録媒体を装着して、プログラムをインストールすることにより、容易に本発明の転送呼処理装置としての機能を実現させることができる。
【００１５】
【発明の効果】
以上説明したように、本発明によれば、インターネット電話の転送呼の呼情報がＰＳＴＮの転送呼の呼情報と同様に発信者負担分と転送者負担分に分割されて出力されるので、ＰＳＴＮの課金の仕組みをインターネット電話にそのまま流用することができ、効率的なインターネット電話システムを構築することができるという利点がある。
【図面の簡単な説明】
【図１】本発明の一実施例を示すインターネット電話の転送呼処理システムのブロック構成図である。
【図２】図１における転送呼処理装置の詳細構成図である。
【図３】図２における転送呼分割手段により分割される転送呼の例を示す図である。
【図４】図１における転送呼処理装置の処理フローチャートである。
【図５】ＰＳＴＮにおける転送呼処理システムのブロック構成図である。
【図６】従来におけるインターネット電話の転送呼処理システムを示すブロック構成図である。
【符号の説明】
１０…発信者（インターネット電話利用者）、
２０…転送者（インターネット電話利用者）、
３０…着信者（インターネット電話利用者）、
４０…呼制御装置、５０…転送呼処理装置、５１…呼情報収集手段、
５２…転送呼判別手段、５３…転送呼分割手段、５４…呼情報出力手段、
６０…課金装置、７０…ＩＰ網、８１…発信者側交換機、
８２…転送者側交換機、８３…着信者側交換機、９０…呼情報通信網、
１００…電話網、３０１…入力呼情報、３０２…分割呼情報、
３０３…分割呼情報。
【図１】
0003783932.tif 000002
【図２】
0003783932.tif 000003
【図３】
0003783932.tif 000004
【図４】
0003783932.tif 000005
【図５】
0003783932.tif 000006
【図６】
0003783932.tif 000007